(57)【特許請求の範囲】
【請求項１】
内部の中央領域と端部の周辺領域からなるセル内の無線リソースを管理する基地局と、移動局と、前記基地局と自局に属する前記移動局の間を中継する中継局で構成され、
前記中央領域内の前記中継局が前記周辺領域にいる前記移動局を中継する場合に、リレーリンクに所定の中央周波数を用いるとともにアクセスリンクに隣接セルとは干渉を回避した周辺周波数を用い、前記中継局がダウンリンクとアップリンクを周波数方向に多重化しダウンリンク及びアップリンクの各々においてリレーリンクとアクセスリンクを周波数方向及び時間方向に分離する中継方式を決定する、
通信システム。
【請求項２】
内部の中央領域と端部の周辺領域からなるセル内の無線リソースを管理する基地局と、移動局と、前記基地局と自局に属する前記移動局の間を中継する中継局で構成され、
前記中央領域内の前記中継局が前記周辺領域にいる前記移動局を中継する場合に、リレーリンクに所定の中央周波数を用いるとともにアクセスリンクに隣接セルとは干渉を回避した周辺周波数を用い、同時送受信が可能な前記中継局がダウンリンクとアップリンクを時間方向に分離し且つリレーリンクとアクセスリンクを周波数方向に多重化する中継方式を決定する、
通信システム。
【請求項３】
内部の中央領域と端部の周辺領域からなるセル内の無線リソースを管理する基地局と、移動局と、前記基地局と自局に属する前記移動局の間を中継する中継局で構成され、
前記中央領域内の前記中継局が前記周辺領域にいる前記移動局を中継する場合に、リレーリンクに所定の中央周波数を用いるとともにアクセスリンクに隣接セルとは干渉を回避した周辺周波数を用い、同時送受信が可能でない前記中継局がダウンリンクとアップリンクを周波数方向に多重化し、ダウンリンク及びアップリンクの各々においてリレーリンクとアクセスリンクを周波数方向及び時間方向に分離し、同時送受信が可能な前記中継局がダウンリンクとアップリンクを時間方向に分離し且つリレーリンクとアクセスリンクを周波数方向に多重化する中継方式を決定する、
通信システム。
【請求項４】
内部の中央領域と端部の周辺領域からなるセル内の無線リソースを管理する基地局と、移動局と、前記基地局と自局に属する前記移動局の間を中継する中継局で構成され、
前記中央領域内の前記中継局が前記周辺領域にいる前記移動局を中継する場合に、リレーリンクに所定の中央周波数を用いるとともにアクセスリンクに隣接セルとは干渉を回避した周辺周波数を用い、同時送受信が可能で且つ４つの周波数帯を占有することが許容される前記中継局がリレーリンクとアクセスリンクを周波数方向に多重化するが中央周波数及び周辺周波数をアップリンク及びダウンリンク用に２分割してアップリンク及びダウンリンクをも周波数方向に多重化する中継方式を決定する、
通信システム。
【請求項５】
内部の中央領域と端部の周辺領域からなるセル内の無線リソースを管理する基地局と、移動局と、前記基地局と自局に属する前記移動局の間を中継する中継局で構成される通信システムにおいて、前記基地局として動作する通信装置であって、
前記中継局の位置に関する情報を保持する中継局位置保持部と、
前記中継局に属する前記移動局の位置に関する情報を保持する移動局位置保持部と、
前記中継局位置保持部及び前記移動局位置保持部にそれぞれ保持されている前記中継局及び前記移動局の各位置に関する情報に基づいて、前記中継局が前記基地局と前記移動局間を中継する中継方式を決定する中継方式決定部と、
前記中継方式決定部が決定した中継方式に則って前記セル内の無線リソースの割り当てに関するスケジュール情報を生成するスケジュール情報生成部と、
を具備し、
前記中継方式決定部は、前記中央領域内の前記中継局が前記周辺領域にいる前記移動局を中継する場合に、リレーリンクに所定の中央周波数を用いるとともにアクセスリンクに隣接セルとは干渉を回避した周辺周波数を用い、前記中継局がダウンリンクとアップリンクを周波数方向に多重化しダウンリンク及びアップリンクの各々においてリレーリンクとアクセスリンクを周波数方向及び時間方向に分離する中継方式を決定する、
通信装置。
【請求項６】
内部の中央領域と端部の周辺領域からなるセル内の無線リソースを管理する基地局と、移動局と、前記基地局と自局に属する前記移動局の間を中継する中継局で構成される通信システムにおいて、前記基地局として動作する通信装置であって、
前記中継局の位置に関する情報を保持する中継局位置保持部と、
前記中継局に属する前記移動局の位置に関する情報を保持する移動局位置保持部と、
前記中継局位置保持部及び前記移動局位置保持部にそれぞれ保持されている前記中継局及び前記移動局の各位置に関する情報に基づいて、前記中継局が前記基地局と前記移動局間を中継する中継方式を決定する中継方式決定部と、
前記中継方式決定部が決定した中継方式に則って前記セル内の無線リソースの割り当てに関するスケジュール情報を生成するスケジュール情報生成部と、
を具備し、
前記中継方式決定部は、前記中央領域内の前記中継局が前記周辺領域にいる前記移動局を中継する場合に、リレーリンクに所定の中央周波数を用いるとともにアクセスリンクに隣接セルとは干渉を回避した周辺周波数を用い、同時送受信が可能な前記中継局がダウンリンクとアップリンクを時間方向に分離し且つリレーリンクとアクセスリンクを周波数方向に多重化する中継方式を決定する、
通信装置。
【請求項７】
内部の中央領域と端部の周辺領域からなるセル内の無線リソースを管理する基地局と、移動局と、前記基地局と自局に属する前記移動局の間を中継する中継局で構成される通信システムにおいて、前記基地局として動作する通信装置であって、
前記中継局の位置に関する情報を保持する中継局位置保持部と、
前記中継局に属する前記移動局の位置に関する情報を保持する移動局位置保持部と、
前記中継局位置保持部及び前記移動局位置保持部にそれぞれ保持されている前記中継局及び前記移動局の各位置に関する情報に基づいて、前記中継局が前記基地局と前記移動局間を中継する中継方式を決定する中継方式決定部と、
前記中継方式決定部が決定した中継方式に則って前記セル内の無線リソースの割り当てに関するスケジュール情報を生成するスケジュール情報生成部と、
を具備し、
前記中継方式決定部は、前記中央領域内の前記中継局が前記周辺領域にいる前記移動局を中継する場合に、リレーリンクに所定の中央周波数を用いるとともにアクセスリンクに隣接セルとは干渉を回避した周辺周波数を用い、同時送受信が可能でない前記中継局がダウンリンクとアップリンクを周波数方向に多重化し、ダウンリンク及びアップリンクの各々においてリレーリンクとアクセスリンクを周波数方向及び時間方向に分離し、同時送受信が可能な前記中継局がダウンリンクとアップリンクを時間方向に分離し且つリレーリンクとアクセスリンクを周波数方向に多重化する中継方式を決定する、
通信装置。
【請求項８】
内部の中央領域と端部の周辺領域からなるセル内の無線リソースを管理する基地局と、移動局と、前記基地局と自局に属する前記移動局の間を中継する中継局で構成される通信システムにおいて、前記基地局として動作する通信装置であって、
前記中継局の位置に関する情報を保持する中継局位置保持部と、
前記中継局に属する前記移動局の位置に関する情報を保持する移動局位置保持部と、
前記中継局位置保持部及び前記移動局位置保持部にそれぞれ保持されている前記中継局及び前記移動局の各位置に関する情報に基づいて、前記中継局が前記基地局と前記移動局間を中継する中継方式を決定する中継方式決定部と、
前記中継方式決定部が決定した中継方式に則って前記セル内の無線リソースの割り当てに関するスケジュール情報を生成するスケジュール情報生成部と、
を具備し、
前記中継方式決定部は、前記中央領域内の前記中継局が前記周辺領域にいる前記移動局を中継する場合に、リレーリンクに所定の中央周波数を用いるとともにアクセスリンクに隣接セルとは干渉を回避した周辺周波数を用い、同時送受信が可能で且つ４つの周波数帯を占有することが許容される前記中継局がリレーリンクとアクセスリンクを周波数方向に多重化するが中央周波数及び周辺周波数をアップリンク及びダウンリンク用に２分割してアップリンク及びダウンリンクをも周波数方向に多重化する中継方式を決定する、
通信装置。
【請求項９】
内部の中央領域と端部の周辺領域からなるセル内の無線リソースを管理する基地局と、移動局と、前記基地局と自局に属する前記移動局の間を中継する中継局で構成される通信システムにおいて、前記基地局として動作するための通信方法であって、
前記中継局の位置に関する情報を保持する中継局位置取得ステップと、
前記中継局に属する前記移動局の位置に関する情報を保持する移動局位置取得ステップと、
前記中継局及び前記移動局の各位置に関する情報に基づいて、前記中継局が前記基地局と前記移動局間を中継する中継方式を決定する中継方式決定ステップと、
前記中継方式決定ステップにおいて決定した中継方式に則って前記セル内の無線リソースの割り当てに関するスケジュール情報を生成するスケジュール情報生成ステップと、
を有し、
前記中継方式決定部ステップでは、前記中央領域内の前記中継局が前記周辺領域にいる前記移動局を中継する場合に、リレーリンクに所定の中央周波数を用いるとともにアクセスリンクに隣接セルとは干渉を回避した周辺周波数を用い、前記中継局がダウンリンクとアップリンクを周波数方向に多重化しダウンリンク及びアップリンクの各々においてリレーリンクとアクセスリンクを周波数方向及び時間方向に分離する中継方式を決定する、
通信方法。
【請求項１０】
内部の中央領域と端部の周辺領域からなるセル内の無線リソースを管理する基地局と、移動局と、前記基地局と自局に属する前記移動局の間を中継する中継局で構成される通信システムにおいて、前記基地局として動作するための通信方法であって、
前記中継局の位置に関する情報を保持する中継局位置取得ステップと、
前記中継局に属する前記移動局の位置に関する情報を保持する移動局位置取得ステップと、
前記中継局及び前記移動局の各位置に関する情報に基づいて、前記中継局が前記基地局と前記移動局間を中継する中継方式を決定する中継方式決定ステップと、
前記中継方式決定ステップにおいて決定した中継方式に則って前記セル内の無線リソースの割り当てに関するスケジュール情報を生成するスケジュール情報生成ステップと、
を有し、
前記中継方式決定部ステップでは、前記中央領域内の前記中継局が前記周辺領域にいる前記移動局を中継する場合に、リレーリンクに所定の中央周波数を用いるとともにアクセスリンクに隣接セルとは干渉を回避した周辺周波数を用い、同時送受信が可能な前記中継局がダウンリンクとアップリンクを時間方向に分離し且つリレーリンクとアクセスリンクを周波数方向に多重化する中継方式を決定する、
通信方法。
【請求項１１】
内部の中央領域と端部の周辺領域からなるセル内の無線リソースを管理する基地局と、移動局と、前記基地局と自局に属する前記移動局の間を中継する中継局で構成される通信システムにおいて、前記基地局として動作するための通信方法であって、
前記中継局の位置に関する情報を保持する中継局位置取得ステップと、
前記中継局に属する前記移動局の位置に関する情報を保持する移動局位置取得ステップと、
前記中継局及び前記移動局の各位置に関する情報に基づいて、前記中継局が前記基地局と前記移動局間を中継する中継方式を決定する中継方式決定ステップと、
前記中継方式決定ステップにおいて決定した中継方式に則って前記セル内の無線リソースの割り当てに関するスケジュール情報を生成するスケジュール情報生成ステップと、
を有し、
前記中継方式決定部ステップでは、前記中央領域内の前記中継局が前記周辺領域にいる前記移動局を中継する場合に、リレーリンクに所定の中央周波数を用いるとともにアクセスリンクに隣接セルとは干渉を回避した周辺周波数を用い、同時送受信が可能でない前記中継局がダウンリンクとアップリンクを周波数方向に多重化し、ダウンリンク及びアップリンクの各々においてリレーリンクとアクセスリンクを周波数方向及び時間方向に分離し、同時送受信が可能な前記中継局がダウンリンクとアップリンクを時間方向に分離し且つリレーリンクとアクセスリンクを周波数方向に多重化する中継方式を決定する、
通信方法。
【請求項１２】
内部の中央領域と端部の周辺領域からなるセル内の無線リソースを管理する基地局と、移動局と、前記基地局と自局に属する前記移動局の間を中継する中継局で構成される通信システムにおいて、前記基地局として動作するための通信方法であって、
前記中継局の位置に関する情報を保持する中継局位置取得ステップと、
前記中継局に属する前記移動局の位置に関する情報を保持する移動局位置取得ステップと、
前記中継局及び前記移動局の各位置に関する情報に基づいて、前記中継局が前記基地局と前記移動局間を中継する中継方式を決定する中継方式決定ステップと、
前記中継方式決定ステップにおいて決定した中継方式に則って前記セル内の無線リソースの割り当てに関するスケジュール情報を生成するスケジュール情報生成ステップと、
を有し、
前記中継方式決定部ステップでは、前記中央領域内の前記中継局が前記周辺領域にいる前記移動局を中継する場合に、リレーリンクに所定の中央周波数を用いるとともにアクセスリンクに隣接セルとは干渉を回避した周辺周波数を用い、同時送受信が可能で且つ４つの周波数帯を占有することが許容される前記中継局がリレーリンクとアクセスリンクを周波数方向に多重化するが中央周波数及び周辺周波数をアップリンク及びダウンリンク用に２分割してアップリンク及びダウンリンクをも周波数方向に多重化する中継方式を決定する、
通信方法。
【請求項１３】
内部の中央領域と端部の周辺領域からなるセル内の無線リソースを管理する基地局と、移動局と、前記基地局と自局に属する前記移動局の間を中継する中継局で構成される通信システムにおいて、前記基地局としての処理動作をコンピューター上で実行するようにコンピューター・プログラムであって、前記コンピューターを、
前記中継局の位置に関する情報を保持する中継局位置保持部、
前記中継局に属する前記移動局の位置に関する情報を保持する移動局位置保持部、
前記中継局位置保持部及び前記移動局位置保持部にそれぞれ保持されている前記中継局及び前記移動局の各位置に関する情報に基づいて、前記中継局が前記基地局と前記移動局間を中継する中継方式を決定する中継方式決定部、
前記中継方式決定部が決定した中継方式に則って前記セル内の無線リソースの割り当てに関するスケジュール情報を生成するスケジュール情報生成部、
として機能させ、
前記中継方式決定部は、前記中央領域内の前記中継局が前記周辺領域にいる前記移動局を中継する場合に、リレーリンクに所定の中央周波数を用いるとともにアクセスリンクに隣接セルとは干渉を回避した周辺周波数を用い、前記中継局がダウンリンクとアップリンクを周波数方向に多重化しダウンリンク及びアップリンクの各々においてリレーリンクとアクセスリンクを周波数方向及び時間方向に分離する中継方式を決定する、
コンピューター・プログラム。
【請求項１４】
内部の中央領域と端部の周辺領域からなるセル内の無線リソースを管理する基地局と、移動局と、前記基地局と自局に属する前記移動局の間を中継する中継局で構成される通信システムにおいて、前記基地局としての処理動作をコンピューター上で実行するようにコンピューター・プログラムであって、前記コンピューターを、
前記中継局の位置に関する情報を保持する中継局位置保持部、
前記中継局に属する前記移動局の位置に関する情報を保持する移動局位置保持部、
前記中継局位置保持部及び前記移動局位置保持部にそれぞれ保持されている前記中継局及び前記移動局の各位置に関する情報に基づいて、前記中継局が前記基地局と前記移動局間を中継する中継方式を決定する中継方式決定部、
前記中継方式決定部が決定した中継方式に則って前記セル内の無線リソースの割り当てに関するスケジュール情報を生成するスケジュール情報生成部、
として機能させ、
前記中継方式決定部は、前記中央領域内の前記中継局が前記周辺領域にいる前記移動局を中継する場合に、リレーリンクに所定の中央周波数を用いるとともにアクセスリンクに隣接セルとは干渉を回避した周辺周波数を用い、同時送受信が可能な前記中継局がダウンリンクとアップリンクを時間方向に分離し且つリレーリンクとアクセスリンクを周波数方向に多重化する中継方式を決定する、
コンピューター・プログラム。
【請求項１５】
内部の中央領域と端部の周辺領域からなるセル内の無線リソースを管理する基地局と、移動局と、前記基地局と自局に属する前記移動局の間を中継する中継局で構成される通信システムにおいて、前記基地局としての処理動作をコンピューター上で実行するようにコンピューター・プログラムであって、前記コンピューターを、
前記中継局の位置に関する情報を保持する中継局位置保持部、
前記中継局に属する前記移動局の位置に関する情報を保持する移動局位置保持部、
前記中継局位置保持部及び前記移動局位置保持部にそれぞれ保持されている前記中継局及び前記移動局の各位置に関する情報に基づいて、前記中継局が前記基地局と前記移動局間を中継する中継方式を決定する中継方式決定部、
前記中継方式決定部が決定した中継方式に則って前記セル内の無線リソースの割り当てに関するスケジュール情報を生成するスケジュール情報生成部、
として機能させ、
前記中継方式決定部は、前記中央領域内の前記中継局が前記周辺領域にいる前記移動局を中継する場合に、リレーリンクに所定の中央周波数を用いるとともにアクセスリンクに隣接セルとは干渉を回避した周辺周波数を用い、同時送受信が可能でない前記中継局がダウンリンクとアップリンクを周波数方向に多重化し、ダウンリンク及びアップリンクの各々においてリレーリンクとアクセスリンクを周波数方向及び時間方向に分離し、同時送受信が可能な前記中継局がダウンリンクとアップリンクを時間方向に分離し且つリレーリンクとアクセスリンクを周波数方向に多重化する中継方式を決定する、
コンピューター・プログラム。
【請求項１６】
内部の中央領域と端部の周辺領域からなるセル内の無線リソースを管理する基地局と、移動局と、前記基地局と自局に属する前記移動局の間を中継する中継局で構成される通信システムにおいて、前記基地局としての処理動作をコンピューター上で実行するようにコンピューター・プログラムであって、前記コンピューターを、
前記中継局の位置に関する情報を保持する中継局位置保持部、
前記中継局に属する前記移動局の位置に関する情報を保持する移動局位置保持部、
前記中継局位置保持部及び前記移動局位置保持部にそれぞれ保持されている前記中継局及び前記移動局の各位置に関する情報に基づいて、前記中継局が前記基地局と前記移動局間を中継する中継方式を決定する中継方式決定部、
前記中継方式決定部が決定した中継方式に則って前記セル内の無線リソースの割り当てに関するスケジュール情報を生成するスケジュール情報生成部、
として機能させ、
前記中継方式決定部は、前記中央領域内の前記中継局が前記周辺領域にいる前記移動局を中継する場合に、リレーリンクに所定の中央周波数を用いるとともにアクセスリンクに隣接セルとは干渉を回避した周辺周波数を用い、同時送受信が可能でない前記中継局がダウンリンクとアップリンクを周波数方向に多重化し、ダウンリンク及びアップリンクの各々においてリレーリンクとアクセスリンクを周波数方向及び時間方向に分離し、同時送受信が可能な前記中継局がダウンリンクとアップリンクを時間方向に分離し且つリレーリンクとアクセスリンクを周波数方向に多重化する中継方式を決定する、
コンピューター・プログラム。
【請求項１７】
内部の中央領域と端部の周辺領域からなるセル内の無線リソースを管理する基地局と、移動局と、前記基地局と自局に属する前記移動局の間を中継する中継局で構成される通信システムにおいて、前記中継局として動作する通信装置であって、
前記中央領域内の自局が前記周辺領域にいる前記移動局を中継する場合に、リレーリンクに所定の中央周波数を用いるとともにアクセスリンクに隣接セルとは干渉を回避した周辺周波数を用い、ダウンリンクとアップリンクを周波数方向に多重化しダウンリンク及びアップリンクの各々においてリレーリンクとアクセスリンクを周波数方向及び時間方向に分離する中継手段と、
を具備する通信装置。
【請求項１８】
内部の中央領域と端部の周辺領域からなるセル内の無線リソースを管理する基地局と、移動局と、前記基地局と自局に属する前記移動局の間を中継する中継局で構成される通信システムにおいて、前記中継局として動作する通信装置であって、
同時送受信が可能で、前記中央領域内の自局が前記周辺領域にいる前記移動局を中継する場合に、リレーリンクに所定の中央周波数を用いるとともにアクセスリンクに隣接セルとは干渉を回避した周辺周波数を用い、ダウンリンクとアップリンクを時間方向に分離し且つリレーリンクとアクセスリンクを周波数方向に多重化する中継手段と、
を具備する通信装置。
【請求項１９】
内部の中央領域と端部の周辺領域からなるセル内の無線リソースを管理する基地局と、移動局と、前記基地局と自局に属する前記移動局の間を中継する中継局で構成される通信システムにおいて、前記中継局として動作する通信装置であって、
同時送受信が可能で且つ４つの周波数帯を占有することが許容され、前記中央領域内の自局が前記周辺領域にいる前記移動局を中継する場合に、リレーリンクに所定の中央周波数を用いるとともにアクセスリンクに隣接セルとは干渉を回避した周辺周波数を用い、リレーリンクとアクセスリンクを周波数方向に多重化するが中央周波数及び周辺周波数をアップリンク及びダウンリンク用に２分割してアップリンク及びダウンリンクをも周波数方向に多重化する中継手段と、
を具備する通信装置。
【発明の詳細な説明】
【技術分野】
【０００１】
本発明は、中継局の介在により基地局がセル内の移動局と通信する通信システム、通信装置及び通信方法、並びにコンピューター・プログラムに係り、特に、インターセル・インターフェアレンス・コーディネーションを適用した中継方式の通信システム、通信装置及び通信方法、並びにコンピューター・プログラムに関する。
【背景技術】
【０００２】
情報処理、情報通信技術の普及を背景として通信サービスの多様化が進んでいるが、とりわけ携帯電話を始めとする移動体通信の成長は目覚しい。現在、３ＧＰＰ（Ｔｈｉｒｄ  Ｇｅｎｅｒａｔｏｉｎ  Ｐａｒｔｎｅｒｓｈｉｐ  Ｐｒｏｊｅｃｔ）では、ＩＴＵ（Ｉｎｔｅｒｎａｔｉｏｎａｌ  Ｔｅｌｅｃｏｍｍｕｎｉｃａｔｉｏｎ  Ｕｎｉｏｎ：国際電気通信連合）が策定した第３世代（３Ｇ）移動通信システムの世界標準「ＩＭＴ（Ｉｎｔｅｒｎａｔｉｏｎａｌ  Ｍｏｂｉｌｅ  Ｔｅｌｅｃｏｍｍｕｎｉｃａｔｉｏｎｓ）−２０００」の標準化作業が行なわれている。３ＧＰＰが策定したデータ通信仕様の１つである「ＬＴＥ（Ｌｏｎｇ  Ｔｅｒｍ  Ｅｖｏｌｕｔｉｏｎ）」は、第４世代（４Ｇ）のＩＭＴ−Ａｄｖａｎｃｅｄを目指した長期的高度化システムであり、「３．９Ｇ（スーパー３Ｇ）」とも呼ばれる。
【０００３】
ＬＴＥは、ＯＦＤＭ変調方式を基本とした通信方式であり、また、ダウンリンクの無線アクセス方式にはＯＦＤＭＡを採用する。（本明細書では、基地局（Ｂａｓｅ  Ｓｔａｔｉｏｎ：ＢＳ）から移動局（Ｍｏｂｉｌｅ  Ｓｔａｔｉｏｎ：ＭＳ）に向かう下りの無線アクセスを「ダウンリンク」と呼び、移動局から基地局に向かう上りの無線アクセスを「アップリンク」と呼ぶ。）
【０００４】
ここで、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）は、複数のデータを「直交」すなわち互いに干渉し合わない周波数サブキャリアに割り当てるマルチキャリア方式であり、各サブキャリアについて逆ＦＦＴ（Ｆａｓｔ  Ｆｏｕｒｉｅｒ  Ｔｒａｎｓｆｏｒｍ）行なうことで周波数軸での各サブキャリアを時間軸の信号に変換して伝送することができる。送信データを周波数が直交する複数のキャリアに分配して伝送するので、各キャリアの帯域が狭帯域となり、周波数利用効率が非常に高く、マルチパスにより遅延ひずみ（周波数選択性フェージング妨害）に強いという特徴がある。
【０００５】
また、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：直交周波数分割多元接続）は、１つの通信局がＯＦＤＭ信号の全サブキャリアを占有するのではなく、周波数軸上のサブキャリアのセットを複数の通信局に割り当てて、複数の通信局でサブキャリアをシェアする多元接続方式である。
【０００６】
３ＧＰＰでは、第４世代移動通信システムに向けＬＴＥをさらに発展させた標準規格「ＬＴＥ−Ａｄｖａｎｃｅｄ」において、１００ＭＨｚ近い帯域幅をサポートし、最大でピーク速度１Ｇｂｐｓの実現を目指している。例えば、マルチユーザーＭＩＭＯ（ＭＵ−ＭＩＭＯ）若しくはＳＤＭＡ（Ｓｐａｃｅ  Ｄｉｖｉｓｉｏｎ  Ｍｕｌｔｕｐｌｅ  Ａｃｃｅｓｓ）のように、空間軸上の無線リソースを複数のユーザーで共有する空間分割多元接続方式が有力である。
【０００７】
また、セル・エッジでのスループットを向上するために、リレー技術がＬＴＥ−Ａｄｖａｎｃｅｄ向けに検討されている。ここで言うリレー技術とは、コア・ネットワークに接続された基地局のエリア内に中継局（Ｒｅｌａｙ  Ｓｔａｔｉｏｎ：ＲＳ）を設置し、基地局と中継局間でホッピング通信させる仕組みである。１〜２Ｍｂｐｓ程度ではＢＰＳＫ（Ｂｉｎａｒｙ  Ｐｈａｓｅ  Ｓｈｆｔ  Ｋｅｙｉｎｇ：２相位相偏移変調）やＱＰＳＫ（Ｑｕａｄｒａｔｕｒｅ  ＰＳＫ：４相位相偏移変調）などの変調方式を適用することができ、所要ＳＮＲは低くても許容されるが、これに対し、１００Ｍｂｐｓ若しくはそれ以上の通信速度を得るには、セル全体にわたりＳＮＲを高く保つ必要がある。また、動作周波数が高くなると伝搬ロスが大きくなり、しかもフェージングに敏感であるため、基地局のカバー面積が悪化する。単体の基地局ではセル・エッジでパフォーマンスが落ちてしまうが、中継局はこれを補うものである。
【０００８】
ダウンリンクにおいては、中継局は、基地局からの受信信号を増幅してから、移動局に対して送信を行なう。中継局が中継することで、基地局から移動局に対して信号を直接送信するよりも、信号対雑音比を高くすることが可能である。他方、アップリンクにおいては、中継局は、移動局からの信号を中継局が受信して、それを基地局に対して送信することにより信号対雑音比を高く保つことができる。
【０００９】
例えば、基地局が、端末にリソースを割り当て、現在のタイムスロットにおいて下り信号を送信し、次のタイムスロットにおいて中継局を介して端末からの上り信号を受信し、中継局が、現在のタイムスロットにおいて基地局からの下り信号と端末からの上り信号を受信し、次のタイムスロットにおいて、受信した下り信号を端末へ送信し、上り信号を基地局へ送信し、端末が、現在のタイムスロットにおいて上り信号を送信し、次のタイムスロットにおいて中継局を介して下り信号を受信する、セルラーシステムについて提案がなされている（例えば、特許文献１を参照のこと）。
【００１０】
中継局が基地局と移動局間を中継する方式を、受信信号の送信方法により以下の２種類に分類することができる。
【００１１】
１番目は、中継局が基地局からの受信信号をアナログ信号のまま増幅して再送する、「Ａｍｐｌｉｆｙ−ａｎｄ−Ｆｏｒｗａｒｄ（ＡＦ）」と呼ぶ方式である。ＡＦ方式では、移動局でのＳＮＲ（信号対雑音比）を改善することができないので、中継局は、信号強度が十分大きい領域で中継する必要がある。また、送信アンテナと受信アンテナの間でフィードバック経路があるために発振をしないように考慮する必要がある。ＡＦ方式の利点としては、通信プロトコルに一切の改良が必要でないことである。
【００１２】
２番目は、中継局が基地局からの受信信号をディジタル処理した後に増幅して送信する、「Ｄｅｃｏｄｅ−ａｎｄ−Ｆｏｒｗａｒｄ（ＤＦ）」と呼ぶ方式である。すなわち、中継局は、基地局からの受信信号をＡＤ変換でディジタル信号に変換して、その信号を誤り訂正などの復号処理を行なってから、再度符号化し、ＤＡ変換でアナログ信号に変換して、その信号を増幅して送信する。ＤＦ方式によれば、符号化利得によってＳＮを改善することが可能である。また、中継局は、ディジタル信号に変換した信号をメモリーに蓄積し、その信号を次のタイムスロットで送信することにより、送信アンテナと受信アンテナ間の信号に回り込みの問題も避けることができる。また、送信と受信でタイムスロットを変えるのではなく、周波数を変えることによっても発振を抑えることができる。
【００１３】
３ＧＰＰの将来のネットワークであるＬＴＥ−Ａｄｖａｎｃｅｄにおいては、ＡＦ方式よりも、ＳＮＲを改善可能なＤＦ方式の方が主流になる可能性が高い。
【００１４】
ＬＴＥやＬＴＥ−Ａｄｖａｎｃｅｄでは、通信の遅延を少なくすることが求められており、具体的には、ユーザー間での遅延を５０ミリ秒以下にすることが要求されている。このため、リレー技術を導入する場合には、中継局の介在に伴って発生する遅延の問題を十分考慮する必要がある。
【００１５】
ＤＦ型の中継方式は、符号化利得によりＳＮを改善するが、復号及び再符号化のために遅延が大きい。このため、遅延要求が厳しいチャネルには、遅延が少なくて済むＡＦ型を使用し、遅延要求が厳しくないチャネルには、ＤＦ型を適用するという方法が提案されている。
【００１６】
また、ＤＦ型の中継方式において、干渉を避けるために時分割でタイムスロットを変えて中継する場合には、タイムスロット単位で遅延が増加する。中継局が受信信号を再符号化して送信する際の遅延を１サブフレーム又はタイムスロットの遅延に揃えることが多い。これは、ＬＴＥの下位互換性を保ったまま中継局を導入する場合に、このような区切りが互換性を保ち易いからである。また、１サブフレームは、ＴＤＤのアップリンクとダウンリンクの区切りなので、中継局の遅延の単位として採用し易い。
【００１７】
また、ＬＴＥでは、隣接セル間での同一チャネルの干渉の影響を低減するために、インターセル・インターフェアレンス・コーディネーション（ＩｎｔｅｒＣｅｌｌ  Ｉｎｔｅｒｆｅｒｅｎｃｅ  Ｃｏｏｒｄｉｎａｔｉｏｎ：ＩＣＩＣ）が提案されている。
【００１８】
インターセル・インターフェアレンス・コーディネーションは、例えば、１セル周波数繰り返しと複数セル周波数繰り返しを組み合わせたフラクショナル周波数繰り返しにより実現することができる。
【００１９】
各セルは、基地局から近いセル内部の中央領域と、基地局から離間したセル端の周辺領域に分けられる。基地局と中央領域の移動局との通信に割り当てられる「中央周波数」は、隣接セルと競合するが（すなわち、１セル周波数繰り返し）、中央領域内でしか信号が届かないような小さな送信電力に抑えることで、セル間の干渉を回避する。一方、周辺領域に信号が届くには大きな電力で送信しなければならないが、隣接セルの周辺領域同士は互いに異なる「周辺周波数」を使用することによって（すなわち、複数セル周波数繰り返し）、セル間の干渉を回避する。また、１つの移動局がＯＦＤＭ信号の全サブキャリアを占有するのではなく、基地局に近い移動局に中央周波数のサブキャリアを割り当てるとともに、基地局から離間した移動局に周辺周波数のサブキャリアを割り当て、複数の移動局でサブキャリアをシェアして多元接続（ＯＦＤＭＡ）を行なうことができる。
【００２０】
セルラーシステムにリレー技術を導入する場合には、中継局において、基地局からの受信（リレーリンク）と移動局への再送（アクセスリンク）が干渉し合わないように、また、アップリンクとダウンリンクが干渉し合わないようにするには、各リンクを時間と周波数で分離する必要がある。インターセル・インターフェアレンス・コーディネーション（フラクショナル周波数繰り返し）を行なう場合には、同じセル内でも場所に応じて周波数が異なる（中央周波数又は周辺周波数のいずれかを用いる）ことから、リンク間の干渉回避にはこの点も十分考慮する必要がある。リレー技術を導入する場合には、インターセル・インターフェアレンス・コーディネーションも十分考慮する必要がある。
【先行技術文献】
【特許文献】
【００２１】
【特許文献１】特開２００８−２２５５８号公報
【発明の開示】
【発明が解決しようとする課題】
【００２２】
本発明の目的は、中継局の介在により基地局がセル内の移動局と好適に通信することができる、優れた通信システム、通信装置及び通信方法、並びにコンピューター・プログラムを提供することにある。
【００２３】
本発明のさらなる目的は、インターセル・インターフェアレンス・コーディネーションを好適に行なうことができる、優れた中継方式の通信システム、通信装置及び通信方法、並びにコンピューター・プログラムを提供することにある。
【００２４】
本発明のさらなる目的は、インターセル・インターフェアレンス・コーディネーションを適用しながら、中継局のリレーリンクとアクセスリンク、アップリンクとダウンリンクにおいて干渉を回避して基地局と移動局の間を好適に中継することができる、優れた通信システム、通信装置及び通信方法、並びにコンピューター・プログラムを提供することにある。
【課題を解決するための手段】
【００２５】
本願は、上記課題を参酌してなされたものであり、請求項１に記載の発明は、内部の中央領域と端部の周辺領域からなるセル内の無線リソースを管理する基地局と、移動局と、前記基地局と自局に属する前記移動局の間を中継する中継局で構成され、前記セル内における前記中継局及び前記移動局の位置に関する情報に基づいて、前記中継局による中継方式を決定する通信システムである。
【００２６】
但し、ここで言う「システム」とは、複数の装置（又は特定の機能を実現する機能モジュール）が論理的に集合した物のことを言い、各装置や機能モジュールが単一の筐体内にあるか否かは特に問わない。
【００２７】
本願の請求項２に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記基地局として動作する通信装置であって、
前記中継局の位置に関する情報を保持する中継局位置保持部と、
前記中継局に属する前記移動局の位置に関する情報を保持する移動局位置保持部と、
前記中継局位置保持部及び前記移動局位置保持部にそれぞれ保持されている前記中継局及び前記移動局の各位置に関する情報に基づいて、前記移動局が前記基地局と前記移動局間を中継する中継方式を決定する中継方式決定部と、
前記中継方式決定部が決定した中継方式に則って前記セル内の無線リソースの割り当てに関するスケジュール情報を生成するスケジュール情報生成部と、
を具備する通信装置である。
【００２８】
本願の請求項３に記載の発明によれば、請求項２に記載の通信装置の中継方式決定部は、前記中継局の通信能力をさらに考慮して、中継局が基地局と移動局間を中継する中継方式を決定するように構成されている。
【００２９】
本願の請求項４に記載の発明によれば、請求項２に記載の通信装置の中継方式決定部は、前記中継局が周波数方向に多重化して同時刻に送受信動作を行なうことができるか否かをさらに考慮して、中継局が基地局と移動局間を中継する中継方式を決定するように構成されている。
【００３０】
本願の請求項５に記載の発明によれば、請求項２に記載の通信装置の中継方式決定部は、前記中継局及び前記移動局の各位置に関する情報に応じて、前記中継局において、アップリンクとダウンリンクが干渉せず、且つ、リレーリンクとアクセスリンクで干渉しない中継方式を決定するように構成されている。
【００３１】
本願の請求項６に記載の発明によれば、請求項２に記載の通信装置の中継方式決定部は、前記中継局及び前記移動局がともに前記周辺領域にいる場合に、アップリンク及びダウンリンクともに隣接セルとは干渉を回避した周辺周波数を用い、且つ、アップリンク及びダウンリンクの各々においてリレーリンクとアクセスリンクを時間方向に分離する中継方式を決定するように構成されている。
【００３２】
本願の請求項７に記載の発明によれば、請求項２に記載の通信装置の中継方式決定部は、中継局及び前記移動局がともに中央領域にいる場合に、アップリンク及びダウンリンクともに所定の中央周波数で且つ隣接セルに届かない送信電力を用いるとともに、アップリンク及びダウンリンクの各々においてリレーリンクとアクセスリンクを時間方向に分離する中継方式を決定する
【００３３】
本願の請求項８に記載の発明によれば、請求項２に記載の通信装置の中継方式決定部は、中継局は中央領域にいるが移動局は周辺領域にいる場合に、時間方向に多重化したアップリンク及びダウンリンクの各々において、リレーリンクには所定の中央周波数で且つ隣接セルに届かない送信電力を用いるとともに、アクセスリンクには隣接セルとは干渉を回避した周辺周波数を用い、リレーリンクとアクセスリンクを時間方向に分離する中継方式を決定するように構成されている。
【００３４】
本願の請求項９に記載の発明によれば、請求項４に記載の通信装置の中継方式決定部は、中継局が周波数方向に多重化して同時刻に送受信動作を行なうことができる場合には、時間方向に分離したアップリンク及びダウンリンクの各々において、リレーリンクには所定の中央周波数で且つ隣接セルに届かない送信電力を用いるとともに、アクセスリンクには隣接セルとは干渉を回避した周辺周波数を用い、且つ、リレーリンクとアクセスリンクを時間方向に多重化する中継方式を決定するように構成されている。
【００３５】
本願の請求項１０に記載の発明によれば、請求項４に記載の通信装置の中継方式決定部は、中継局は中央領域にいるが移動局は周辺局にいる場合であって、中継局が周波数方向に多重化して同時刻に送受信動作を行なうことができ、且つ、システム周波数をダウンリンク及びアップリンク用に分割できる場合に、時間方向に多重化したアップリンク及びダウンリンクの各々において、リレーリンクには所定の中央周波数で且つ隣接セルに届かない送信電力を用いるとともに、アクセスリンクには隣接セルとは干渉を回避した周辺周波数を用い、且つ、リレーリンクとアクセスリンクを時間方向に多重化する中継方式を決定するように構成されている。
【００３６】
本願の請求項１１に記載の発明によれば、請求項２に記載の通信装置の中継方式決定部は、所定の無線フレーム毎に、中継局及び移動局の各位置に関する情報に応じて中継方式を適応的に選択するように構成されている。
【００３７】
また、本願の請求項１２に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記基地局として動作するための通信方法であって、
前記中継局の位置に関する情報を保持する中継局位置取得ステップと、
前記中継局に属する前記移動局の位置に関する情報を保持する移動局位置取得ステップと、
前記中継局及び前記移動局の各位置に関する情報に基づいて、前記移動局が前記基地局と前記移動局間を中継する中継方式を決定する中継方式決定ステップと、
前記中継方式決定ステップにおいて決定した中継方式に則って前記セル内の無線リソースの割り当てに関するスケジュール情報を生成するスケジュール情報生成ステップと、
を有する通信方法である。
【００３８】
また、本願の請求項１３に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記基地局としての処理動作をコンピューター上で実行するようにコンピューター・プログラムであって、前記コンピューターを、
前記中継局の位置に関する情報を保持する中継局位置保持部、
前記中継局に属する前記移動局の位置に関する情報を保持する移動局位置保持部、
前記中継局位置保持部及び前記移動局位置保持部にそれぞれ保持されている前記中継局及び前記移動局の各位置に関する情報に基づいて、前記移動局が前記基地局と前記移動局間を中継する中継方式を決定する中継方式決定部、
前記中継方式決定部が決定した中継方式に則って前記セル内の無線リソースの割り当てに関するスケジュール情報を生成するスケジュール情報生成部、
として機能させるためのコンピューター・プログラムである。
【００３９】
本願の請求項１３に係るコンピューター・プログラムは、コンピューター上で所定の処理を実現するようにコンピューター可読形式で記述されたコンピューター・プログラムを定義したものである。換言すれば、本願の請求項１３に係るコンピューター・プログラムをコンピューターにインストールすることによって、コンピューター上では協働的作用が発揮され、本願の請求項２に係る通信装置と同様の作用効果を得ることができる。
【００４０】
また、本願の請求項１４に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記中継局として動作する通信装置であって、
前記セル内における前記中継局及び前記移動局の位置に関する情報に応じて決定される、前記中継局において、アップリンクとダウンリンクが干渉せず、且つ、リレーリンクとアクセスリンクで干渉しない中継方式によって、前記基地局と前記移動局間を中継する、
通信装置である。
【００４１】
また、本願の請求項１５に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記中継局として動作するための通信方法であって、
前記セル内における前記中継局及び前記移動局の位置に関する情報に応じて決定される、前記中継局において、アップリンクとダウンリンクが干渉せず、且つ、リレーリンクとアクセスリンクで干渉しない中継方式によって、前記基地局と前記移動局間を中継する、
通信方法である。
【００４２】
また、本願の請求項１６に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記中継局としての処理動作をコンピューター上で実行するようにコンピューター・プログラムであって、
前記セル内における前記中継局及び前記移動局の位置に関する情報に応じて決定される、前記中継局において、アップリンクとダウンリンクが干渉せず、且つ、リレーリンクとアクセスリンクで干渉しない中継方式によって、前記基地局と前記移動局間を中継する、
ように前記コンピューターを動作させるためのコンピューター・プログラムである。
【００４３】
本願の請求項１６に係るコンピューター・プログラムは、コンピューター上で所定の処理を実現するようにコンピューター可読形式で記述されたコンピューター・プログラムを定義したものである。換言すれば、本願の請求項１６に係るコンピューター・プログラムをコンピューターにインストールすることによって、コンピューター上では協働的作用が発揮され、本願の請求項１４に係る通信装置と同様の作用効果を得ることができる。
【００４４】
また、本願の請求項１７に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記移動局として動作する通信装置であって、
前記セル内における前記中継局及び前記移動局の位置に関する情報に応じて決定される、前記中継局において、アップリンクとダウンリンクが干渉せず、且つ、リレーリンクとアクセスリンクで干渉しない中継方式によって、前記中継局とアップリンク及びダウンリンクのアクセスリンクの通信を行なう、
通信装置である。
【００４５】
また、本願の請求項１８に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記移動局として動作する通信方法であって、
前記セル内における前記中継局及び前記移動局の位置に関する情報に応じて決定される、前記中継局において、アップリンクとダウンリンクが干渉せず、且つ、リレーリンクとアクセスリンクで干渉しない中継方式によって、前記中継局とアップリンク及びダウンリンクのアクセスリンクの通信を行なう、
通信方法である。
【００４６】
また、本願の請求項１９に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記移動局として処理動作をコンピューター上で実行するようにコンピューター・プログラムであって、
前記セル内における前記中継局及び前記移動局の位置に関する情報に応じて決定される、前記中継局において、アップリンクとダウンリンクが干渉せず、且つ、リレーリンクとアクセスリンクで干渉しない中継方式によって、前記中継局とアップリンク及びダウンリンクのアクセスリンクの通信を行なう、
ように前記コンピューターを動作させるためのコンピューター・プログラムである。
【００４７】
本願の請求項１９に係るコンピューター・プログラムは、コンピューター上で所定の処理を実現するようにコンピューター可読形式で記述されたコンピューター・プログラムを定義したものである。換言すれば、本願の請求項１９に係るコンピューター・プログラムをコンピューターにインストールすることによって、コンピューター上では協働的作用が発揮され、本願の請求項１７に係る通信装置と同様の作用効果を得ることができる。
【発明の効果】
【００４８】
本発明によれば、インターセル・インターフェアレンス・コーディネーションを好適に行なうことができる、優れた中継方式の通信システム、通信装置及び通信方法、並びにコンピューター・プログラムを提供することができる。
【００４９】
また、本発明によれば、インターセル・インターフェアレンス・コーディネーションとしてフラクショナル周波数繰り返しを適用しながら、セル内の中継局のいる場所に適応した中継方式により好適に中継することができる、優れた通信システム、通信装置及び通信方法、並びにコンピューター・プログラムを提供することができる。
【００５０】
本願の請求項１、２、１２、１３に記載の発明によれば、中継局及び移動局の各位置に関する情報に応じて中継局における適切な中継方式を決定することによって、中継局において、アップリンクとダウンリンク、並びにリレーリンクとアクセスリンクの干渉をともに回避することができる。
【００５１】
本願の請求項３、４に記載の発明によれば、中継局及び移動局の各位置に関する情報に加え、中継局の通信能力も考慮して、中継局におけるより適切な中継方式を決定することによって、中継局において、アップリンクとダウンリンク、並びにリレーリンクとアクセスリンクの干渉をともに回避することができる。
【００５２】
本願の請求項５、１４乃至１６、１７乃至１９に記載の発明によれば、中継局及び移動局の各位置に関する情報に応じて、中継局において、リレーリンク並びにアクセスリンクがともに干渉しない、適切な中継方式を以って基地局と移動局間を中継することができる。
【００５３】
本願の請求項６に記載の発明によれば、中継局及び移動局がともに前記周辺領域にいる場合に、アップリンク及びダウンリンクともに隣接セルとは干渉を回避した周辺周波数を用い、且つ、アップリンク及びダウンリンクの各々においてリレーリンクとアクセスリンクを時間方向に分離する中継方式を適用して、中継局における干渉を回避することができる。
【００５４】
本願の請求項７に記載の発明によれば、中継局及び前記移動局がともに中央領域にいる場合に、アップリンク及びダウンリンクともに所定の中央周波数で且つ隣接セルに届かない送信電力を用いるとともに、アップリンク及びダウンリンクの各々においてリレーリンクとアクセスリンクを時間方向に分離する中継方式を適用して、中継局における干渉を回避することができる。
【００５５】
本願の請求項８に記載の発明によれば、中継局は中央領域にいるが移動局は周辺領域にいる場合に、時間方向に多重化したアップリンク及びダウンリンクの各々において、リレーリンクには所定の中央周波数で且つ隣接セルに届かない送信電力を用いるとともに、アクセスリンクには隣接セルとは干渉を回避した周辺周波数を用い、リレーリンクとアクセスリンクを時間方向に分離する中継方式を適用して、中継局における干渉を回避することができる。
【００５６】
本願の請求項９に記載の発明によれば、中継局は中央領域にいるが移動局は周辺領域にいる場合であって、中継局が周波数方向に多重化して同時刻に送受信動作を行なうことができる場合には、時間方向に分離したアップリンク及びダウンリンクの各々において、リレーリンクには所定の中央周波数で且つ隣接セルに届かない送信電力を用いるとともに、アクセスリンクには隣接セルとは干渉を回避した周辺周波数を用い、且つ、リレーリンクとアクセスリンクを時間方向に多重化する中継方式を適用して、中継局における干渉を回避することができる。
【００５７】
本願の請求項１０に記載の発明によれば、中継局は中央領域にいるが移動局は周辺局にいる場合であって、中継局が周波数方向に多重化して同時刻に送受信動作を行なうことができ、且つ、システム周波数をダウンリンク及びアップリンク用に分割できる場合に、時間方向に多重化したアップリンク及びダウンリンクの各々において、リレーリンクには所定の中央周波数で且つ隣接セルに届かない送信電力を用いるとともに、アクセスリンクには隣接セルとは干渉を回避した周辺周波数を用い、且つ、リレーリンクとアクセスリンクを時間方向に多重化する中継方式を適用して、中継局における干渉を回避することができる。
【００５８】
本願の請求項１１に記載の発明によれば、所定の無線フレーム毎に中継局における中継方式を選択することにより、移動局の移動に適応的に対応することができる。
【００５９】
本発明のさらに他の目的、特徴や利点は、後述する本発明の実施形態や添付する図面に基づくより詳細な説明によって明らかになるであろう。
【図面の簡単な説明】
【００６０】
【図１】図１は、ＬＴＥのダウンリンクの無線フレーム構成を示した図である。
【図２】図２は、中継局が介在する場合と介在しない場合を含むセル内の基本的な通信動作を示した図である。
【図３Ａ】図３Ａは、フラクショナル周波数繰り返しによりインターセル・インターフェアレンス・コーディネーションを実現したセルラーシステムを示した図である。
【図３Ｂ】図３Ｂは、フラクショナル周波数繰り返しを行なうセル内での周波数割り当てを説明するための図である。
【図３Ｃ】図３Ｃは、フラクショナル周波数繰り返しを行なうセル内での周波数割り当てを説明するための図である。
【図３Ｄ】図３Ｄは、フラクショナル周波数繰り返しを行なうセル内での周波数割り当てを説明するための図である。
【図４】図４は、インターセル・インターフェアレンス・コーディネーションを適用したセル内で中継局を介した基地局と移動局間の通信例を示した図である。
【図５】図５は、中継局のリレーリンクとアクセスリンクが干渉し合わないように、また、アップリンクとダウンリンクが干渉し合わないように、タイムスロットを時間と周波数で分離した様子を示した図である。
【図６】図６は、セル内で中継局がいる場所に応じた中継方式を説明するための図である。
【図７】図７は、セル内で中継局がいる場所に応じた中継方式を説明するための図である。
【図８】図８は、セル内で中継局がいる場所に応じた中継方式を説明するための図である。
【図９】図９は、セル内で中継局がいる場所に応じた中継方式を説明するための図である。
【図１０】図１０は、セル内で中継局がいる場所に応じた中継方式を説明するための図である。
【図１１】図１１は、セル内で中継局がいる場所に応じた中継方式を説明するための図である。
【図１２】図１２は、セル内で中継局がいる場所に応じた中継方式を説明するための図である。
【図１３】図１３は、基地局が自セル内の中継局の中継方式を決定するための処理手順を示したフローチャートである。
【図１４】図１４は、本発明の一実施形態に係るセルラーシステムにおいて動作する基地局の機能的構成を模式的に示した図である。
【図１５】図１５は、本発明の一実施形態に係るセルラーシステムにおいて動作する中継局の機能的構成を模式的に示した図である。
【図１６】図１６は、本発明の一実施形態に係るセルラーシステムにおいて動作する移動局の機能的構成を模式的に示した図である。
【図１７】図１７は、受信信号強度と基地局からの通信距離（セル内の中継局、移動局の位置）との関係を示した図である。
【発明を実施するための形態】
【００６１】
以下では、本発明をＬＴＥなどの移動通信システムに適用した実施形態について、図面を参照しながら詳細に説明する。
【００６２】
図１には、ＬＴＥのダウンリンクの無線フレーム構成を示している。図示のように、無線フレームは、時間単位の短い順に、タイムスロット（Ｓｌｏｔ）、サブフレーム（Ｓｕｂｆｒａｍｅ）、無線フレーム（Ｒａｄｉｏ  Ｆｒａｍｅ）の３層に階層化されている。
【００６３】
０．５ミリ秒長のタイムスロットは、７個のＯＦＤＭシンボルで構成され（但し、通常のユニキャスト伝送の場合）、ユーザー（移動局）側で受信する際の復調処理の単位となる。１ミリ秒長のサブフレームは、連続する２個のタイムスロットで構成され、訂正符号化された１データ・パケットの送信時間単位となる。１０ミリ秒長の無線フレームは、１０個のサブフレーム（すなわち、２０個のタイムスロット）で構成され、すべての物理チャネルの多重に対する基本単位となる。
【００６４】
各ユーザーは、異なるサブキャリア、又は、異なるタイムスロットを使用すれば、互いに干渉することなく通信することができる。ＬＴＥでは、連続するサブキャリアをブロック化して、「リソース・ブロック（ＲＢ）」と呼ばれる、無線リソース割り当ての最小単位が定義される。１リソース・ブロックは、周波数軸方向に１２サブキャリア幅を持ち、時間軸方向に０．５ミリ秒長（７ＯＦＤＭシンボル）を持つ。基地局に搭載されているスケジューラーは、各ユーザーに対して、リソース・ブロック単位で無線リソースが割り当てる。この割り当ては、Ｌ１／Ｌ２シグナリングというコントロール・チャネルで指定される。各ユーザーは、コントロール・チャネルを見て、自分に割り当てられたリソース・ブロックを認識する。リソース・ブロックの割り当ては、サブフレーム毎すなわち１ミリ秒間隔で行なわれる。
【００６５】
０．５ミリ長のタイムスロットは、各ユーザーが使用できる割り当ての最小単位である。基地局に搭載されているスケジューラーは、ユーザー毎にタイムスロット単位で使用してもよいタイムスロットを割り当てる。ＬＴＥでは、ＦＤＤ（Ｆｒｅｑｕｅｎｃｙ  Ｄｉｖｉｓｉｏｎ  Ｄｕｐｌｅｘ）とＴＤＤ（Ｔｉｍｅ  Ｄｉｖｉｓｉｏｎ  Ｄｕｐｌｅｘ）の２通りの複信方式を選択することができる。ＴＤＤの場合には、１サブフレーム毎にアップリンク又はダウンリンクのいずれに使用するかを選択することができる。
【００６６】
本実施形態に係る通信システムでは、セル・エッジでのスループットの向上などを目的として、リレー技術を導入している。
【００６７】
中継局が介在する場合と介在しない場合を含むセル内の基本的な通信動作について、図２を参照しながら説明する。基地局（ＢＳ）と中継局（ＲＳ）の間を「リレーリンク（ＲｅｌａｙＬｉｎｋ）」と呼び、中継局と移動局（ＭＳ）の間を「アクセスリンク（ＡｃｃｅｓｓＬｉｎｋ）」と呼ぶ。また、中継局を使用しないで、基地局と移動局の間で直接通信するリンクを「ダイレクトリンク（ＤｉｒｅｃｔＬｉｎｋ）」と呼ぶ。また、同図中、ダウンリンクを実線矢印で、アップリンクを点線矢印で、それぞれ示している。
【００６８】
ＬＴＥでは、リソース・ブロック単位で無線リソースの割り当てが行なわれ、Ｌ１／Ｌ２シグナリングというコントロール・チャネルで指定される（前述）。中継局は、１ミリ秒毎にコントロール・チャネルの中のリソース・ブロックの割り当て情報、すなわちスケジューリング情報を見ることにより、自分宛てのリソース・ブロックがあるかどうかを判別する。
【００６９】
ダウンリンクにおいては、中継局は、例えばＤＦ方式（前述）により、基地局からの受信信号を増幅してから、移動局に対して送信を行なう。中継局が中継することで、基地局から移動局に対して信号を直接送信するよりも、信号対雑音比を高くすることが可能である。他方、アップリンクにおいては、中継局は、移動局からの信号を中継局が受信して、それを基地局に対して送信することにより信号対雑音比を高く保つことができる。
【００７０】
また、本実施形態に係る通信システムでは、隣接セル間での同一チャネルの干渉の影響を低減するためにインターセル・インターフェアレンス・コーディネーション（前述）を適用している。
【００７１】
ここで、図３Ａ〜図３Ｄを参照しながら、インターセル・インターフェアレンス・コーディネーションについて改めて説明する。図示の例では、１セル周波数繰り返しと複数セル周波数繰り返し（図中は、３セル周波数繰り返し）を組み合わせたフラクショナル周波数繰り返しによって、インターセル・インターフェアレンス・コーディネーションを実現している。
【００７２】
図３Ａにおいて、６角形は１つのセル範囲を示している。各セルは、セル内部の白抜きされた中央領域と、セル端の網掛けを施した周辺領域に分けられる。中央領域に割り当てられる中央周波数は、隣接セルと競合するが（すなわち、周波数繰り返しが１）、中央領域内でしか信号が届かないような小さな送信電力に抑えることで、セル間の干渉を回避する。一方、隣接セルの周辺領域同士は異なる周波数が割り当てられる（すなわち、３セル周波数繰り返しをしている）。図３Ａ中では周波数帯の相違を網掛けの種類（右上がり斜線、右下がり斜線、格子斜線）で表している。図示のように隣接セル間で周波数割り振りの配分を切り替えることによって、効率的な周波数の割り当て運用を行なうことができる
【００７３】
図３Ｂ〜図３Ｄには、セル内の周波数割り当て及び送信電力を示している。各セルでは、システム周波数帯域を３ブロックに分割し、周辺周波数にはセル間で周波数繰り返しに用いるサブキャリア・ブロックを割り当て、中央周波数には１セル周波数繰り返しのサブキャリア・ブロックを割り当てる。
【００７４】
例えば、図３Ａ中で右下がり斜線の網掛けが施された周辺領域を持つセル内では、サブキャリア・ブロック＃１が周辺周波数に、サブキャリア・ブロック＃２、＃３が中央周波数に割り当てられる（図３Ｂを参照のこと）。また、図３Ａ中で格子の網掛けが施された周辺領域を持つセル内では、サブキャリア・ブロック＃２が周辺周波数に、サブキャリア・ブロック＃１、＃３が中央周波数に割り当てられる（図３Ｃを参照のこと）。また、図３Ａ中で右上がり斜線の網掛けが施された周辺領域を持つセル内では、サブキャリア・ブロック＃３が周辺周波数に、サブキャリア・ブロック＃１、＃２が中央周波数に割り当てられる（図３Ｄを参照のこと）。１つの通信局がＯＦＤＭ信号の全サブキャリアを占有するのではなく、中央周波数のサブキャリアを中央領域にいる移動局又は中継局に割り当てるとともに、周辺周波数のサブキャリアを周辺領域にいる移動局又は中継局に割り当てて、複数の通信局でサブキャリアをシェアして多元接続（ＯＦＤＭＡ）を行なう。
【００７５】
図３Ａ中のいずれのセルにおいても、中央周波数の送信電力は中央領域内でしか信号が届かないような小さな送信電力に抑えられているので、１セル周波数繰り返ししてもセル間で干渉は生じない。また、周辺周波数の送信電力は、セル中心の基地局からセル端まで電波が届く程度に大きな送信電力であるが、複数セル（図示の例では３セル）周波数繰り返しを用いるので、隣接セル間で干渉は生じない。
【００７６】
図４には、インターセル・インターフェアレンス・コーディネーションを適用したセル内で中継局を介した基地局と移動局間の通信例を示している。但し、同図中、ダウンリンクを実線矢印で、アップリンクを点線矢印で、それぞれ示している。
【００７７】
図示のように、中継局並びに移動局は、それぞれ中央領域にいる場合と周辺領域にいる場合の両方が考えられる。同図中のケース１では、中央領域内の中継局が周辺領域にいる移動局を中継している。また、ケース２では、中継局とこれに属する移動局がともに周辺領域にいる。また、ケース３では、中継局とこれに属する移動局がともに中央領域にいる。
【００７８】
ここで、図４を参照しながら、中継方式について考察してみる。中継局において、アップリンクとダウンリンクが干渉し合わないようにするには、周波数で分離することが容易に考えられる。また、中継局において、リレーリンクとアクセスリンクで干渉を避けるために、タイムスロットで分離することが容易に考えられる。
【００７９】
図５には、中継局のリレーリンクとアクセスリンクが干渉し合わないように、また、アップリンクとダウンリンクが干渉し合わないように、タイムスロットを時間と周波数で分離した様子を示している。但し、同図において、実線の矢印はダウンリンクを表し、点線の矢印はアップリンクを表す。中継局を経由する場合は中継する度にタイムスロットを分ける。ダイレクトリンクの場合、タイムスロットを連続して使用することができる。
【００８０】
図中の横軸は時間軸、縦軸は周波数軸である。４つの四角はＬＴＥで言うところのリソース・ブロックにそれぞれ相当し、基地局に搭載されているスケジューラーが割り当てを行なう。各リソース・ブロックは、時間方向と周波数方向で各チャネルを多重可能である。
【００８１】
ダウンリンク時に基地局は、時刻Ｔ１のタイムスロットで周波数Ｆ２のリソース・ブロックを使用して送信する（ダウンリンクのリレーリンク）。また、中継局は、このダウンリンクのリレーリンクでの信号を受信して、バッファーに蓄えた後に、その信号を時刻Ｔ２で周波数Ｆ２のリソース・ブロックを使用して送信する（ダウンリンクのアクセスリンク）。そして、移動局は、この時刻Ｔ２のタイムスロットで周波数Ｆ２を使用したダウンリンクのアクセスリンクの信号を受信する。なお、ダウンリンクのダイレクトリンクは、中継局を経由せず、基地局から移動局へ直接通信するリンクであるが、図５中において、２つの四角にまたがる長い実線の矢印で示している。ダウンリンクのダイレクトリンクは、時刻Ｔ１及びＴ２のタイムスロットにわたり周波数Ｆ２のリソース・ブロックを続けて使用する。
【００８２】
一方、アップリンク時には、移動局は、時刻Ｔ１のタイムスロットで周波数Ｆ１のリソース・ブロックを利用して送信し（アップリンクのアクセスリンク）、これを中継局が受信する。そして、中継局は、このアップリンクのアクセスリンクでの信号を受信し、バッファリングした後に、時刻Ｔ２のタイムスロットで周波数Ｆ１のリソース・ブロックを使用して送信し（アップリンクのリレーリンク）、それを基地局が受信する。なお、アップリンクのダイレクトリンクは、中継局を経由せず、移動局から基地局へ直接通信するリンクであるが、図５中において、２つの四角にまたがる長い点線の矢印で示している。アップリンクのダイレクトリンクは、時刻Ｔ１及びＴ２のタイムスロットにわたり周波数Ｆ１のリソース・ブロックを続けて使用する。
【００８３】
なお、上記では、図５中の４つの四角は、ＬＴＥで言うところのリソース・ブロックにそれぞれ相当すると述べたが、四角の時間方向のサイズは、リソース・ブロックで区切られるタイムスロットでもよいし、リソース・ブロック２個分のタイムスロットであるサブフレームでもよい。好ましい実施例としては、サブフレーム単位の区切りの方が運用し易い。
【００８４】
また、セル内で送受信する基本の周波数幅を２０ＭＨｚとすると、リソース・ブロックは１５ｋＨｚ間隔のサブキャリアが１２本分なので、図５中の四角の周波数方向のサイズは、１８０ｋＨｚの幅である。インターセル・インターフェアレンス・コーディネーションの中央周波数と周辺周波数の周波数割り当てについては図３Ｂ、図３Ｃ、図３Ｄに例示したが、２０ＭＨｚのシステム・バンド幅の中で１８０ｋＨｚのリソース・ブロックを３つ程度の領域に分割して使用する。一方、バンドを複数束ねて通信を行なう方法も考えられる。例えば、２０ＭＨｚの帯域を５つ束ねて、２０ＭＨｚ×５＝１００ＭＨｚのバンドで通信を行うキャリア・アグリゲーションを用いた通信を行なう場合には、インターセル・インターフェアレンス・コーディネーションの３つの周波数の分離は、２０ＭＨｚのバンド毎になる可能性がある。したがって、図５中の四角の周波数方向のサイズは２０ＭＨｚのバンド幅となる場合もある。
【００８５】
ところで、インターセル・インターフェアレンス・コーディネーション（フラクショナル周波数繰り返し）を行なう場合には、同じセル内であっても、移動局の居場所によって通信に用いる周波数は異なり、中央領域の移動局とは中央周波数を用い、周辺領域の移動局とは周辺周波数を用いて通信を行なう（前述）、という点を考慮する必要がある。
【００８６】
中継局を必要とする移動局は、周辺領域にいると考えるのが自然である。その場合には、中継局と移動局の間の通信、すなわちアクセスリンクには周辺周波数を用いることが相当である。他方、中継局は、中央領域にいる場合と周辺領域にいる場合の両方が考えられる。言い換えれば、リレーリンクには、中央周波数並びに周辺周波数のいずれを使用することも考えられる。図４には、セル内で中継局を介した基地局と移動局間の通信例としてケース１〜３の３種類のユースケースを挙げた。中央領域では中央周波数Ｆ１を使用し、周辺領域では周辺周波数Ｆ２を使用するとすれば、各ケースにおいてリレーリンク及びアクセスリンクで使用する周波数は、以下の表のようにまとめられる。
【００８７】
【表１】
0005909843.tif 000002
【００８８】
ここで、図５を改めて参照すると、中継局のリレーリンクとアクセスリンク、アップリンクとダウンリンクがともに干渉し合わないようにするために、アップリンクとダウンリンクの各々において、リレーリンクとアクセスリンクで同じ周波数を用いている。これに対し、上記表１において、ケース１は、リレーリンクに中央周波数を使用し、アクセスリンクには周辺周波数を使用しており、言い換えれば、リレーリンクとアクセスリンクで異なる周波数を使用していることから、図５は不適切な中継方式である。
【００８９】
他方、ケース２ではリレーリンクとアクセスリンクでともに周辺周波数を使用しているという観点からは、図５は適切な中継方式となる可能性がある。また、中央領域の移動局を中継局でリレーするというケース３は稀であるが、リレーリンクとアクセスリンクでともに中央周波数を使用しているという観点からは、図５は適切な中継方式となる可能性がある。ところが、図４に示した例では、ケース２はアップリンクもダウンリンクのいずれもケース２であり、同様に、ケース３はアップリンクもダウンリンクのいずれもケース３である、すなわち、アップリンクとダウンリンクで同じ周波数を使用する。これに対し、図５に示した中継方式ではアップリンクとダウンリンクで周波数を分離しているという構成になっており（ダウンリンクで周辺周波数Ｆ２を用い、アップリンクで中央周波数Ｆ１を使用している）、望ましくない。
【００９０】
結局のところ、図５に示した中継方式は、図４中のケース１〜３のいずれにおいても中継方式として望ましくない、ということが分かる。
【００９１】
これまでの説明より、インターセル・インターフェアレンス・コーディネーション（フラクショナル周波数繰り返し）と中継局の関係についてまとめる。中継局によるリレーを必要とする移動局は通常は周辺領域にいるのに対し、中継局は中央領域、周辺領域のいずれにいる場合も考えられる。したがって、セル内で中継局がいる場所（すなわち、中央領域、周辺領域のいずれにいるのか）に対応した中継方式を提供する必要がある。
【００９２】
図６〜図１０には、セル内で中継局がいる場所に応じた、図４に示したケース１〜３のいずれかに適用することができる中継方式を例示している。いずれの中継方式も、中継局のリレーリンクとアクセスリンクが干渉し合わないように、また、アップリンクとダウンリンクが干渉し合わないように、タイムスロットを時間と周波数で分離するように、基地局に搭載されているスケジューラーがタイムスロットの割り当てを行なうものである。
【００９３】
図６に示す中継方式は、アップリンク及びダウンリンクともに所定の中央周波数Ｆ１で且つ隣接セルに届かない送信電力を用い、且つ、アップリンクとダウンリンクを時間方向に分離するとともに、アップリンク及びダウンリンクの各々においてリレーリンクとアクセスリンクを時間方向に分離するものである。この中継方式は、例えば図４中のケース３に相当する、移動局並びに中継局のいずれも中央領域にいる場合に適している。移動局が中央領域にいるユースケースで基地局との通信に中継局が介在する可能性は低い。但し、移動局が中央領域であっても建物の奥深くやトンネル内にいるときには、建物の窓近く、又は、トンネルの入り口近くの中継局で中継することが望ましい。
【００９４】
ダウンリンク時に基地局は、時刻Ｔ１のタイムスロットで中央周波数Ｆ１のリソース・ブロックを使用して送信する（ダウンリンクのリレーリンク）。また、中継局は、このダウンリンクのリレーリンクでの信号を受信して、バッファーに蓄えた後に、その信号を時刻Ｔ２のタイムスロットで中央周波数Ｆ１のリソース・ブロックを使用して送信する（ダウンリンクのアクセスリンク）。そして、移動局は、この時刻Ｔ２のタイムスロットで中央周波数Ｆ１を使用したダウンリンクのアクセスリンクの信号を受信する。
【００９５】
一方、アップリンク時には、移動局は、時刻Ｔ３のタイムスロットで中央周波数Ｆ１のリソース・ブロックを利用して送信し（アップリンクのアクセスリンク）、これを中継局が受信する。そして、中継局は、このアップリンクのアクセスリンクでの信号を受信し、バッファリングした後に、時刻Ｔ４のタイムスロットで中央周波数Ｆ１のリソース・ブロックを使用して送信し（アップリンクのリレーリンク）、それを基地局が受信する。
【００９６】
なお、図６に示す例では、リソース・ブロックを周波数方向で分離せず、アップリンクとダウンリンクを時間方向に分離するものである。これに対し、変形例として、図１１に示すように、中央周波数Ｆ１を２つの周波数Ｆ１−１、Ｆ１−２に分割して、ダウンリンクとアップリンクを周波数方向で多重化するようにしてもよい。
【００９７】
ダウンリンク時に基地局は、時刻Ｔ１のタイムスロットで周波数Ｆ１−２のリソース・ブロックを使用して送信する（ダウンリンクのリレーリンク）。また、中継局は、このダウンリンクのリレーリンクでの信号を受信して、バッファーに蓄えた後に、その信号を時刻Ｔ２のタイムスロットで周波数Ｆ１−２のリソース・ブロックを使用して送信する（ダウンリンクのアクセスリンク）。そして、移動局は、この時刻Ｔ２のタイムスロットで周波数Ｆ１−２を使用したダウンリンクのアクセスリンクの信号を受信する。
【００９８】
一方、アップリンク時には、移動局は、時刻Ｔ１のタイムスロットで周波数Ｆ１−１のリソース・ブロックを利用して送信し（アップリンクのアクセスリンク）、これを中継局が受信する。そして、中継局は、このアップリンクのアクセスリンクでの信号を受信し、バッファリングした後に、時刻Ｔ２のタイムスロットで周波数Ｆ１−１のリソース・ブロックを使用して送信し（アップリンクのリレーリンク）、それを基地局が受信する。
【００９９】
図７に示す中継方式は、アップリンク及びダウンリンクともに隣接セルとは干渉を回避した周辺周波数Ｆ２を用い、アップリンクとダウンリンクを時間方向に分離するとともに、アップリンク及びダウンリンクの各々においてリレーリンクとアクセスリンクを時間方向に分離するものである。この中継方式は、例えば図４中のケース２に相当する、移動局並びに中継局のいずれも周辺領域にいる場合に適している。
【０１００】
ダウンリンク時に基地局は、時刻Ｔ１のタイムスロットで周辺周波数Ｆ２のリソース・ブロックを使用して送信する（ダウンリンクのリレーリンク）。また、中継局は、このダウンリンクのリレーリンクでの信号を受信して、バッファーに蓄えた後に、その信号を時刻Ｔ２のタイムスロットで周辺周波数Ｆ２のリソース・ブロックを使用して送信する（ダウンリンクのアクセスリンク）。そして、移動局は、この時刻Ｔ２のタイムスロットで周辺周波数Ｆ２を使用したダウンリンクのアクセスリンクの信号を受信する。
【０１０１】
一方、アップリンク時には、移動局は、時刻Ｔ３のタイムスロットで周辺周波数Ｆ２のリソース・ブロックを利用して送信し（アップリンクのアクセスリンク）、これを中継局が受信する。そして、中継局は、このアップリンクのアクセスリンクでの信号を受信し、バッファリングした後に、時刻Ｔ４のタイムスロットで周辺周波数Ｆ２のリソース・ブロックを使用して送信し（アップリンクのリレーリンク）、それを基地局が受信する。
【０１０２】
なお、図７に示す例では、リソース・ブロックを周波数方向で分離せず、アップリンクとダウンリンクを時間方向に分離するものである。これに対し、変形例として、図１２に示すように、周辺周波数Ｆ２を２つの周波数Ｆ２−１、Ｆ２−２に分割して、ダウンリンクとアップリンクを周波数方向で多重化するようにしてもよい。
【０１０３】
ダウンリンク時に基地局は、時刻Ｔ１のタイムスロットで周波数Ｆ２−２のリソース・ブロックを使用して送信する（ダウンリンクのリレーリンク）。また、中継局は、このダウンリンクのリレーリンクでの信号を受信して、バッファーに蓄えた後に、その信号を時刻Ｔ２のタイムスロットで周波数Ｆ２−２のリソース・ブロックを使用して送信する（ダウンリンクのアクセスリンク）。そして、移動局は、この時刻Ｔ２のタイムスロットで周波数Ｆ２−２を使用したダウンリンクのアクセスリンクの信号を受信する。
【０１０４】
一方、アップリンク時には、移動局は、時刻Ｔ１のタイムスロットで周波数Ｆ２−１のリソース・ブロックを利用して送信し（アップリンクのアクセスリンク）、これを中継局が受信する。そして、中継局は、このアップリンクのアクセスリンクでの信号を受信し、バッファリングした後に、時刻Ｔ２のタイムスロットで周波数Ｆ２−１のリソース・ブロックを使用して送信し（アップリンクのリレーリンク）、それを基地局が受信する。
【０１０５】
図８に示す中継方式は、ダウンリンクとアップリンクを周波数方向に多重化し、ダウンリンク及びアップリンクの各々において、リレーリンクとアクセスリンクを周波数方向及び時間方向に分離するものである。周波数方向に多重化したアップリンク及びダウンリンクの各々において、リレーリンクには所定の中央周波数Ｆ１で且つ隣接セルに届かない送信電力を用いるとともに、アクセスリンクには隣接セルとは干渉を回避した周辺周波数Ｆ２を用いている。この中継方式は、例えば図４中のケース１に相当する、周辺局にいる移動局に対し中央領域にいる中継局が中継を行なう場合に適している。
【０１０６】
ダウンリンク時に基地局は、時刻Ｔ１のタイムスロットで中央周波数Ｆ１のリソース・ブロックを使用して送信する（ダウンリンクのリレーリンク）。また、中継局は、このダウンリンクのリレーリンクでの信号を受信して、バッファーに蓄えた後に、その信号を時刻Ｔ２のタイムスロットで周辺周波数Ｆ２のリソース・ブロックを使用して送信する（ダウンリンクのアクセスリンク）。そして、移動局は、この時刻Ｔ２のタイムスロットで周辺周波数Ｆ２を使用したダウンリンクのアクセスリンクの信号を受信する。
【０１０７】
一方、アップリンク時には、移動局は、時刻Ｔ１のタイムスロットで周辺周波数Ｆ２のリソース・ブロックを利用して送信し（アップリンクのアクセスリンク）、これを中継局が受信する。そして、中継局は、このアップリンクのアクセスリンクでの信号を受信し、バッファリングした後に、時刻Ｔ２のタイムスロットで中央周波数Ｆ１のリソース・ブロックを使用して送信し（アップリンクのリレーリンク）、それを基地局が受信する。
【０１０８】
図９に示す中継方式は、ダウンリンクとアップリンクを時間方向に分離し、且つ、リレーリンクとアクセスリンクを周波数方向に多重化するものである（ダウンリンク及びアップリンクを時間方向に分離するが、ダウンリンクおよびアップリンクの各々において、リレーリンクとアクセスリンクを周波数方向に多重化する）。ダウンリンクでは、リレーリンクには所定の中央周波数Ｆ１で且つ隣接セルに届かない送信電力を用いるとともに、アクセスリンクには隣接セルとは干渉を回避した周辺周波数Ｆ２を用いる。一方、アップリンクでは、リレーリンクには隣接セルとは干渉を回避した周辺周波数Ｆ２を用いるとともに、アクセスリンクには所定の中央周波数Ｆ１で且つ隣接セルに届かない送信電力を用いる。この中継方式は、図８と同様に、例えば図４中のケース１に相当する、周辺局にいる移動局に対し中央領域にいる中継局が中継を行なう場合に適している。
【０１０９】
ダウンリンクとして、基地局は、時刻Ｔ１のタイムスロットで中央周波数Ｆ１のリソース・ブロックを使用して送信する（ダウンリンクのリレーリンク）。また、中継局は、このダウンリンクのリレーリンクでの信号を受信しながら、その信号を同時刻Ｔ１のタイムスロットで周辺周波数Ｆ２のリソース・ブロックを使用して送信する（ダウンリンクのアクセスリンク）。そして、移動局は、この時刻Ｔ１のタイムスロットで周辺周波数Ｆ２を使用したダウンリンクのアクセスリンクの信号を受信する。
【０１１０】
一方、アップリンクとして、移動局は、時刻Ｔ２のタイムスロットで周辺周波数Ｆ２のリソース・ブロックを利用して送信する（アップリンクのアクセスリンク）。そして、中継局は、このアップリンクのアクセスリンクでの信号を受信しながら、その信号を同時刻Ｔ２のタイムスロットで中央周波数Ｆ１のリソース・ブロックを使用して送信し（アップリンクのリレーリンク）、それを基地局が受信する。
【０１１１】
図９に示す中継方式は、リレーリンクには中央周波数Ｆ１を用い、アクセスリンクには周辺周波数Ｆ２を用いる点で図８に類似するが、ダウンリンクとアップリンクの各々において、リレーリンクとアクセスリンクを周波数方向で多重化しているという点で相違し、中継に伴う遅延が少ないという利点がある。但し、この場合の中継局は、中央周波数Ｆ１で受信を行ないながら同時に周辺周波数Ｆ２で送信するなど、周波数方向に多重化した送受信動作を行なう（すなわち、同時刻に送受信動作を行なう）ための回路が必要になる。
【０１１２】
図１０に示す中継方式は、アップリンク及びダウンリンクの各々において、リレーリンクには所定の中央周波数で且つ隣接セルに届かない送信電力を用いるとともに、アクセスリンクには隣接セルとは干渉を回避した周辺周波数を用い、リレーリンクとアクセスリンクを周波数方向に多重化するが、中央周波数及び周辺周波数をアップリンク及びダウンリンク用に２分割してアップリンク及びダウンリンクをも周波数方向に多重化するものである。この中継方式は、図８並びに図９と同様に、例えば図４中のケース１に相当する、周辺局にいる移動局に対し中央領域にいる中継局が中継を行なう場合に適している。
【０１１３】
ダウンリンクとして、基地局は、時刻Ｔ１のタイムスロットで中央周波数Ｆ１−１のリソース・ブロックを使用して送信する（ダウンリンクのリレーリンク）。また、中継局は、このダウンリンクのリレーリンクでの信号を受信しながら、その信号を同時刻Ｔ１のタイムスロットで周辺周波数Ｆ２−１のリソース・ブロックを使用して送信する（ダウンリンクのアクセスリンク）。そして、移動局は、この時刻Ｔ１のタイムスロットで周辺周波数Ｆ２−１を使用したダウンリンクのアクセスリンクの信号を受信する。
【０１１４】
一方、アップリンクとして、移動局は、時刻Ｔ１のタイムスロットで周辺周波数Ｆ２−２のリソース・ブロックを利用して送信する（アップリンクのアクセスリンク）。そして、中継局は、このアップリンクのアクセスリンクでの信号を受信しながら、その信号を同時刻Ｔ１のタイムスロットで中央周波数Ｆ１−２のリソース・ブロックを使用して送信し（アップリンクのリレーリンク）、それを基地局が受信する。
【０１１５】
図１０に示す中継方式は、リレーリンクには中央周波数Ｆ１を用い、アクセスリンクには周辺周波数Ｆ２を用いる点で図８に類似するが、図９と同様に、ダウンリンクとアップリンクの各々において、リレーリンクとアクセスリンクを周波数方向で多重化している。この場合の中継局は、同時刻に送受信動作を行なうための回路が必要になる。
【０１１６】
また、図１０に示す中継方式は、中央周波数Ｆ１を２つの周波数Ｆ１−１、Ｆ１−２に分割するとともに、周辺周波数Ｆ２を２つの周波数Ｆ２−１、Ｆ２−２に分割して、さらにダウンリンクとアップリンクも時間方向で多重化している点で、図９に示した中継方式とは相違し、中継に伴う遅延がさらに少ないという利点がある。図１０に示す中継方式を採用できるかどうかは、該当する移動局との通信に４つの周波数帯を占有すること（中継局が中央周波数及び周辺周波数をそれぞれ２分割すること）が許容されるか否かにも依存する。
【０１１７】
図６〜図１０に示した各中継方式の、図４に示した各ケース１〜３への適用の可否を以下の表にまとめておく。
【０１１８】
【表２】
0005909843.tif 000003
【０１１９】
基地局は、中継局の中継による移動局とのダウンリンク及びアップリンクの通信動作を統括的にコントロールするが、中継局のリレーリンクとアクセスリンクが干渉し合わないように、また、アップリンクとダウンリンクが干渉し合わないように、タイムスロットを時間と周波数で分離する必要がある。表２から分かるように、中継局及び移動局のセル内の位置を考慮して、中継方式（すなわち、ダウンリンク並びにアップリンクにおけるリレーリンクとアクセスリンクへのリソース割り当て）を決定しなければならない。
【０１２０】
このため、本実施形態に係るセルラーシステムでは、基地局は、以下の各項目によって、自セル内の中継局に対して中継方式を指定するようにしている。
【０１２１】
（１）中継局の位置（中央領域又は周辺領域のいずれにいるのか）。
（２）中継局に属する移動局の位置（中央領域又は周辺領域のいずれにいるのか）。
（３）中継局は、周波数方向に多重化して同時刻に送受信動作を行なうことができるか。
【０１２２】
図１３には、基地局が自セル内の中継局の中継方式を決定するための処理手順をフローチャートの形式で示している。
【０１２３】
まず、リレーリンクとアクセスリンクに異なる周波数を用いるか否か、すなわち、リレーリンクに中央周波数を用いアクセスリンクに周辺周波数を用いるか否かをチェックする（ステップＳ１）。ステップＳ１は、上記の項目（１）、（２）を判定することに相当する。
【０１２４】
ここで、リレーリンクとアクセスリンクに異なる周波数を用いる場合には（ステップＳ１のＹｅｓ）、中継局と移動局の位置が図４中のケース１に相当すると判定する（ステップＳ２）。この場合、さらに、中継局の通信能力、すなわち、上記項目（３）として挙げた、周波数方向に多重化して同時刻に送受信動作を行なうことが可能か否かをチェックする（ステップＳ３）。
【０１２５】
中継局が、周波数方向に多重化して同時刻に送受信動作を行なうことができない場合には（ステップＳ３のＮｏ）、図８に示した中継方式に設定する（ステップＳ６）。
【０１２６】
また、中継局が、周波数方向に多重化して同時刻に送受信動作を行なうことができると判定した場合には（ステップＳ３のＹｅｓ）、続いて、該当する移動局との通信に４つの周波数帯を占有することが許容されるか否かをチェックする（ステップＳ４）。
【０１２７】
そして、該当する移動局との通信に４つの周波数帯を占有することが許容される場合には（ステップＳ４のＹｅｓ）、図１０に示した中継方式に設定する（ステップＳ６）。また、該当する移動局との通信に４つの周波数帯を占有することが許容されない場合には（ステップＳ４のＮｏ）、図９に示した中継方式に設定する（ステップＳ７）。
【０１２８】
他方、リレーリンクとアクセスリンクに同じ周波数を用いると判定された場合には（ステップＳ１のＮｏ）、続いて、リレーリンクとアクセスリンクでともに中央周波数を使用するか否かをチェックする（ステップＳ８）。
【０１２９】
リレーリンクとアクセスリンクでともに中央周波数を使用する場合には（ステップＳ８のＹｅｓ）、中継局と移動局の位置が図４中のケース３に相当すると判定することができ、図６に示した中継方式に設定する（ステップＳ９）。
【０１３０】
また、リレーリンクとアクセスリンクのともに周辺周波数を使用する場合には（ステップＳ８のＮｏ）、中継局と移動局の位置が図４中のケース２に相当すると判定することができ、図７に示した中継方式に設定する（ステップＳ１０）。
【０１３１】
そして、基地局は、上述した処理手順に従って決定した中継方式を、該当する中継局並びに移動局に対してシグナリングする。
【０１３２】
基地局では、自セル内の無線リソースの割り当てを更新する際に、図１３に示した処理手順を実行する。自セル内の無線リソースの割り当てを更新する頻度は任意である。例えば、基地局は、１無線フレーム毎に図１３に示した処理手順を実行して、自セル内の無線リソースの割り当てを更新するようにしてもよい。このような場合、移動局の移動に合わせて１無線フレーム毎に適応的に中継方式を変化させることができる。
【０１３３】
あるいは、無線フレーム単位で頻繁に更新するのではなく、ある程度スタティックなネットワークの運用形態も考えられる。すなわち、ある事業者が例えば１年程度の長い期間にわたりセル内で同じ中継方式を使い続けるようにしてもよい。つまり、事業者が２以上の中継方式を実装して、それを使い分けるような運用形態も、本発明の要旨に含まれる。また、基地局が中継局並びに移動局の位置に関する情報に基づいて中継方式を決定する以外に、オペレーターにより基地局に中継方式を設定する場合など、事業者により設定された中継方式をそのまま基地局が採用するようにしてもよい。
【０１３４】
なお、ステップＳ１において、リレーリンク並びにアクセスリンクで同一の周波数を使用するか否か（若しくは、リレーリンクとアクセスリンクの各々について、中央周波数又は周辺周波数のいずれを使用するか）は、対象とする中継局並びに移動局がセル内の中央領域又は周辺領域のいずれにいるかに基づいて判断することができる。また、基地局は、中継局並びに移動局がそれぞれ中央領域又は周辺領域のいずれにいるかを、各々との通信距離に基づいて判断することができる。
【０１３５】
ここで、通信局間の通信距離は、例えば、受信信号強度（ＲＳＳＩ：Ｒｅｃｅｉｖｉｎｇ  Ｓｉｇｎａｌ  Ｓｔｒｅｎｇｔｈ  Ｉｎｄｉｃａｔｏｒ）から測定することができる。基地局は、中継局並びに移動局から無線信号を受信するときに、各々からの受信信号強度を取得すればよい。図１７には、受信信号強度と基地局からの通信距離（セル内の中継局、移動局の位置）との関係を示している。図示のように、中継局、移動局の位置が基地局から遠くなるにつれて、受信信号強度は減衰する。受信信号強度が所定の閾値よりも強い位置を中央領域、閾値よりも弱い位置を周辺領域と推定することができる。そして、基地局は、中継局、移動局の位置の推定結果に基づいて、リレーリンクとアクセスリンクの各々について、中央周波数又は周辺周波数のいずれを使用するかを決定すればよい。
【０１３６】
また、基地局が中継局、移動局の位置情報を取得する他の方法として、中継局及び移動局がそれぞれＧＰＳ（Ｇｌｏｂａｌ  Ｐｏｓｉｔｉｏｎｉｎｇ  Ｓｙｓｔｅｍ）を搭載し、ＧＰＳで測定した位置情報をアップリンクのチャネルを使用して基地局に通知する方法が挙げられる。基地局は、中継局及び移動局から通知された位置情報に基づいて、リレーリンクとアクセスリンクの各々について、中央周波数又は周辺周波数のいずれを使用するかを決定すればよい。
【０１３７】
また、基地局が中継局、移動局の位置情報を取得するさらに他の方法として、中継局や移動局がネットワークに参入する際の初期化手続きを利用する方法が挙げられる。ネットワーク参入時の初期化手続きの１つとして、ランダム・アクセスを行なう。ランダム・アクセスの際に、基地局は、中継局や移動局から送られてくる信号がどのくらい遅延しているかという情報（ｔｉｍｉｎｇ  ａｄｖａｎｃｅｄ値）を得ることができる。通信距離が長ければ遅延は大きく、通信距離が短ければ遅延は小さいことから、基地局はｔｉｍｉｎｇ  ａｄｖａｎｃｅｄ値に基づいて、セル内の中継局、移動局の位置を推定することができる。そして、この推定結果より、リレーリンクとアクセスリンクの各々について、中央周波数又は周辺周波数のいずれを使用するかを決定すればよい。但し、本発明の要旨は特定の測距方法に限定されるものではない。
【０１３８】
図１４には、本実施形態に係るセルラーシステムにおいて動作する基地局の機能的構成を模式的に示している。図示の基地局１４００は、アンテナ部１４０１と、送受信信号のアナログ処理を行なうアナログ部１４０２と、アナログ受信信号のディジタル変換並びにディジタル送信信号のアナログ変換を行なうＡＤ／ＤＡ処理部１４０３と、送受信信号のディジタル処理を行なうディジタル部１４０４と、データ送信要求並びに受信データ処理などを行なう上位層プロトコル処理部１４０５で構成される。
【０１３９】
基地局１４００は、例えば、アンテナ部１４０１として複数のアンテナ素子を備え、ＭＵ−ＭＩＭＯ若しくはＳＤＭＡのように、高スループット通信の実現のために、空間軸上の無線リソースを複数のユーザーで共有する空間分割多元接続方式を採用するが、本発明の要旨には直接関連しないので、本明細書ではこの点については説明を省略する。
【０１４０】
また、上位層プロトコル処理部１４０５は、パーソナル・コンピューターなどの一般的な計算機システムとして構成することもできるが、本発明の要旨には直接関連しないので、本明細書ではこの点については説明を省略する。
【０１４１】
ディジタル部１４０４は、受信信号を復調並びに復号処理する復調・復号部１４１１と、送信信号を符号化並びに変調処理する符号化・変調部１４１２の他に、自セル内の無線リソースの管理すなわちスケジューリングを行なうために、移動局位置保持メモリー１４１３、中継局位置保持メモリー１４１４、中継方式決定部１４１５、スケジューリング情報生成部１４１６といった機能モジュールを備えている。これら機能モジュール１４１３〜１４１６は、専用のハードウェアとして構成することができるが、プロセッサーが所定のソフトウェア・プログラムを実行するという形態でも実現することができる。
【０１４２】
復調・復号部１４１１により復調並びに復号処理したディジタル受信信号に基づいて、自セル内の中継局１５００（後述）、並びに、中継局１５００に属する移動局１６００（後述）の位置を測定若しくは推定すると、その結果がそれぞれ移動局位置保持メモリー１４１３並びに中継局位置保持メモリー１４１４に記憶される。例えば、受信信号強度に基づいて中継局１５００、移動局１６００との通信距離を測定し、その結果に基づいて位置を検出することができる。基地局１４００は、中継局１５００並びに移動局１６００から無線信号を受信するときに、各々からの受信信号強度を取得し、受信信号強度に基づいて中継局１５００や移動局１６００の位置を推定し、さらに使用する周波数を決定する（前述）。また、基地局１４００が扱う中継局１５００、移動局１６００の位置に関する情報は、中央領域又は周辺領域のいずれにいるのかという程度の粒度でもよい。移動局位置保持メモリー１４１３並びに中継局位置保持メモリー１４１４には、受信信号強度を位置情報に変換した結果ではなく、受信信号強度や、使用する周波数を位置に関する情報として記憶するようにしてもよい。
【０１４３】
中継方式決定部１４１５は、中継局位置保持メモリー１４１４に記憶されている中継局１５００の位置と、移動局位置保持メモリー１４１３に記憶されている移動局１６００の位置と、中継局１５００の通信能力（すなわち、周波数方向に多重化して同時刻に送受信動作を行なうことができるか）に基づいて、図１３に示した処理手順に従って中継方式を決定する。例えば図６〜図１０に示したものの中から適応的に選択することになる。
【０１４４】
スケジューラーとしてのスケジューリング情報生成部１４１６は、中継方式決定部１４１５で決定した中継方式に則るように、中継局１５００並びにこれに属する移動局１６００に対する無線リソースの割り当てを行ない、自セル内のスケジューリング情報を生成する。スケジューリング情報は、コントロール・チャネルを通じて中継局１５００と移動局１６０に通知される。
【０１４５】
また、図１５には、本実施形態に係るセルラーシステムにおいて動作する中継局の機能的構成を模式的に示している。図示の中継局１５００は、アンテナ部１５０１と、送受信信号のアナログ処理を行なうアナログ部１５０２と、アナログ受信信号のディジタル変換並びにディジタル送信信号のアナログ変換を行なうＡＤ／ＤＡ処理部１５０３と、送受信信号のディジタル処理を行なうディジタル部１５０４で構成される。
【０１４６】
中継局１５００は、例えば、アンテナ部１５０１として複数のアンテナ素子を備え、空間分割多元接続方式を採用してもよいが（同上）、本発明の要旨はこれに限定されるものではない。
【０１４７】
ディジタル部１５０４は、送受信部の動作を制御する送受信制御部１５１５と、基地局１４００からコントロール・チャネルを通じて送られてきたスケジューリング情報並びに中継方式をそれぞれ記憶するスケジューリング情報保持メモリー１５１６、中継方式指示情報保持メモリー１５１７と、ディジタル部１５０４内の動作を統括的にコントロールするＣＰＵ（Ｃｅｎｔｒａｌ  Ｐｒｏｃｅｓｓｉｎｇ  Ｕｎｉｔ）１５１８で構成される。また、送受信部は、ディジタル受信信号から同期を獲得する同期部１５１１と、獲得した同期に従って受信信号を復調並びに復号処理する復調・復号部１５１２と、送信データを一時的に保持するバッファー１５１４と、送信信号を符号化及び変調処理する符号化・変調部１５１３で構成される。送受信部の通信能力、すなわち、周波数方向に多重化して同時刻に送受信動作を行なうことができるか否かは任意である。
【０１４８】
送受信制御部１５１５は、スケジューリング情報保持メモリー１５１６に記憶されているスケジューリング情報、及び、中継方式指示情報保持メモリー１５１７に記憶されている中継方式に従って、指定されたリソース・ブロックを用いて、ダウンリンクのリレーリンクでの受信処理並びにアクセスリンクでの送信処理、アップリンクのアクセスリンクでの受信処理並びリレーリンクでの送信処理を制御する。
【０１４９】
バッファー１５１４には、ダウンリンクのリレーリンクで受信した移動局１６００（後述）宛てのデータや、アップリンクのアクセスリンクで受信した基地局１４００宛てのデータが一時的に蓄積され、ダウンリンクのアクセスリンクとして移動局１６００宛てに、アップリンクのリレーリンクとして基地局１４００宛に、それぞれ送信されることになる。中継局１５００は、リレーする信号を復調並びに復号してバッファー１５１４に一時保持し、再度符号化並びに変調して転送する、すなわち、ＤＦ方式（前述）を適用している。
【０１５０】
また、図１６には、本実施形態に係るセルラーシステムにおいて動作する移動局の機能的構成を模式的に示している。図示の移動局１６００は、アンテナ部１６０１と、送受信信号のアナログ処理を行なうアナログ部１６０２と、アナログ受信信号のディジタル変換並びにディジタル送信信号のアナログ変換を行なうＡＤ／ＤＡ処理部１６０３と、送受信信号のディジタル処理を行なうディジタル部１６０４と、データ送信要求並びに受信データ処理などを行なう上位層プロトコル処理部１６０５で構成される。
【０１５１】
移動局１６００は、例えば、アンテナ部１６０１として複数のアンテナ素子を備え、空間分割多元接続方式を採用してもよいが（同上）、本発明の要旨はこれに限定されるものではない。また、上位層プロトコル処理部１６０５は、パーソナル・コンピューターなどの一般的な計算機システムとして構成することもできる（同上）。
【０１５２】
ディジタル部１６０４は、ディジタル受信信号から同期を獲得する同期部１６１１と、獲得した同期に従って受信信号を復調並びに復号処理する復調・復号部１６１２と、送信信号を符号化及び変調処理する符号化・変調部１６１３と、基地局１４００からコントロール・チャネルを通じて送られてきたスケジューリング情報を記憶するスケジューリング情報保持メモリー１６１４と、ディジタル部１６０４内の動作を統括的にコントロールするＣＰＵ１６１５で構成される。
【０１５３】
スケジューリング情報保持メモリー１６１４には、スケジューリング情報として、自局に割り当てられたリソース・ブロックが記憶されている。同期部１６１１並びに復調・復号部１６１２では、ダウンリンクのアクセスリンク用に割り当てられたリソース・ブロックを用いて受信処理を行なう。また、符号化・変調部１６１３は、アップリンクのアクセスリンク用に割り当てられたリソース・ブロックを用いて送信動作を行なう。
【０１５４】
図１４〜図１６にそれぞれ示した基地局１４００、中継局１５００、移動局１６００を基地局１４００のセル内に配置することで、これら通信局の協働的動作によって、中継局１５００及び移動１６００局の各位置情報に応じて中継局における適切な中継方式を決定することによって、中継局１５００において、アップリンクとダウンリンク、並びにリレーリンクとアクセスリンクの干渉をともに回避することができるという点を十分理解されたい。
【０１５５】
なお、図１３に示した処理手順は、基地局が自セル内の中継局の中継方式を決定するために実行するものであり、また、図１４に示した基地局１４００の構成例並びに図１５に示した中継局１５００の構成例は、基地局１４００が自セル内の中継局１５００の中継方式を決定することを前提としたものである。その変形例として、基地局ではなく中継局が中継方式を決定する方法も考えられる。同変形例の場合、中継局は、基地局のセル内における中継局自身及び移動局の位置に関する情報、又は、基地局の中継局及び移動局からの受信信号強度に関する情報を、基地局から通知してもらうようにする。あるいは、中継局が自らこれらの情報を収集することによっても、中継方式を決定することができる。
【０１５６】
また、アクセスリンクとリレーリンクの違いや、アップリンクとダウンリンクの違いを考慮して、中継方式を決定する処理を異なる２以上の装置（例えば、基地局と中継局）に分散することも可能である。例えば、基地局から中継局へのリレーリンクについては基地局が決定するが、中継局から移動局へのアクセスリンクを度の中継方式にするかは中継局が決定するようにしてもよい。
【産業上の利用可能性】
【０１５７】
以上、特定の実施形態を参照しながら、本発明について詳細に説明してきた。しかしながら、本発明の要旨を逸脱しない範囲で当業者が該実施形態の修正や代用を成し得ることは自明である。
【０１５８】
本明細書では、移動通信システムに適用した実施形態を中心に説明してきたが、本発明の要旨はこれに限定されるものではない。無線ＬＡＮを始め、中継局の介在により基地局が移動局と通信するさまざまに通信システムに、本発明を同様に適用することができる。
【０１５９】
要するに、例示という形態で本発明を開示してきたのであり、本明細書の記載内容を限定的に解釈するべきではない。本発明の要旨を判断するためには、特許請求の範囲を参酌すべきである。
【符号の説明】
【０１６０】
１４００…基地局
１４０１…アンテナ部
１４０２…アナログ部
１４０３…ＡＤ／ＤＡ処理部
１４０４…ディジタル部
１４０５…上位層プロトコル処理部
１４１１…復調・復号部
１４１２…符号化・変調部
１４１３…移動局位置保持メモリー
１４１４…中継局位置保持メモリー
１４１５…中継方式決定部
１４１６…スケジューリング情報生成部
１５００…中継局
１５０１…アンテナ部
１５０２…アナログ部
１５０３…ＡＤ／ＤＡ処理部
１５０４…ディジタル部
１５１１…同期部
１５１２…復調・復号部
１５１３…符号化・変調部
１５１４…バッファー
１５１５…送受信制御部
１５１６…スケジューリング情報保持メモリー
１５１７…中継方式指示情報保持メモリー
１５１８…ＣＰＵ
１６００…移動局
１６０１…アンテナ部
１６０２…アナログ部
１６０３…ＡＤ／ＤＡ処理部
１６０４…ディジタル部
１６０５…上位層プロトコル処理部
１６１１…同期部
１６１２…復調・復号部
１６１３…符号化・変調部
１６１４…スケジューリング情報保持メモリー
１６１５…ＣＰＵ
【図１】
0005909843.tif 000004
【図２】
0005909843.tif 000005
【図３Ａ】
0005909843.tif 000006
【図３Ｂ】
0005909843.tif 000007
【図３Ｃ】
0005909843.tif 000008
【図３Ｄ】
0005909843.tif 000009
【図４】
0005909843.tif 000010
【図５】
0005909843.tif 000011
【図６】
0005909843.tif 000012
【図７】
0005909843.tif 000013
【図８】
0005909843.tif 000014
【図９】
0005909843.tif 000015
【図１０】
0005909843.tif 000016
【図１１】
0005909843.tif 000017
【図１２】
0005909843.tif 000018
【図１３】
0005909843.tif 000019
【図１４】
0005909843.tif 000020
【図１５】
0005909843.tif 000021
【図１６】
0005909843.tif 000022
【図１７】
0005909843.tif 000023